(57)【要約】【課題】建込み開口スペースの高さ・幅サイズに合わせ簡易かつ高能率にドアを適切なサイズに切り揃えてガッシリした框枠構造に組み立て可能なドア構成材を提供する。【解決手段】左右一対の竪框と、この両竪框と框組みする上下一対の横框と、これら框材が框組みされた框枠内に嵌込み可能である鏡板との組み合わせであって、前記竪框の鏡板該当部位には鏡板の縦側縁を前後面から挟込み可能なトリムを突成し、前記横框の捨て代に対応する部位よりも内側寄りには、小口側の捨て代よりも十分に深いダボ孔を穿孔し、さらに少なくとも何れか一方の前記竪框には、前記横框のダボ孔に対応する所要数のダボを突設するという手段。【選択図】　図２
2004132072.tif 000002
【特許請求の範囲】
【請求項１】
端部に捨て代１１・２１を有する左右一対の竪框１・２と；この竪框１・２の上下部に配設される横材であって、その小口側と少なくとも上下何れか一方の外側に切捨て可能な捨て代３１・４１を有する一対の横框３・４と；これら框材が框組みされた框枠内に嵌込み可能であると共に、縦辺の一側に捨て代５１を有する鏡板５と；を少なくとも包含して成り、かつ、前記竪框１・２の鏡板該当部位には鏡板５の縦側縁を前後面から挟込み可能なトリム１２・２２を突成する一方、前記横框３・４の捨て代３１に対応する部位よりも内側寄りには、小口側の捨て代３１よりも十分に深いダボ孔３２・４２を穿孔し、さらに少なくとも何れか一方の前記竪框１には、前記横框３・４のダボ孔３２・４２に対応する所要数のダボ６を設けた構成であって、
建込み開口スペースの高さと幅サイズに合わせて竪框１・２、横框３・４、および鏡板５の余分寸法を捨て代１１・２１、３１・４１、および５１から削去し、竪框１・２と横框３・４に囲われる框枠の中に前記トリム１２・２２に挟込み状態に前記鏡板５の縦側縁を嵌め込ませ、前記竪框１のダボ６を横框３・４のダボ孔３２・４２にダボ接ぎすることにより所望サイズのドアを組立可能にしたことを特徴とするカットフリーのドア構成材。
【請求項２】
横框３・４の鏡板５が当接する内側面に、前記鏡板５の上下辺縁が嵌入する嵌め溝３３・４３が穿設されていることを特徴とする請求項１記載のカットフリーのドア構成材。
【請求項３】
竪框１・２および横框３・４が、木材もしくは集成材、又はパーチクルボード、ＭＤＦなどの加工木材によって構成されていることを特徴とする請求項１又は２記載のカットフリーのドア構成材。
【請求項４】
竪框１・２における横框３・４との当接部位に、当該横框を受け入れる欠込み部１３・２３が形成されていることを特徴とする請求項１〜３の何れか一つに記載のカットフリーのドア構成材。
【請求項５】
竪框１・２の上下部に配設する上下の横框３・４に加えて、竪框１・２の中間部に少なくとも一本の中棧７が配設され、この中棧７を挟んで框枠内に鏡板５が複数嵌め込まれることを特徴とする請求項１〜４の何れか一つに記載のカットフリーのドア構成材。
【請求項６】
竪框１・２のダボ６を、横框３・４のダボ孔３２・４２に接着剤で接合することを特徴とする請求項１〜５の何れか一つに記載のカットフリーのドア構成材。
【発明の詳細な説明】
【０００１】
【発明の属する技術分野】
本発明は、カットフリーのドア構成材、さらに詳しくは、建込み開口スペースの高さ・幅サイズに合わせてドアを適切なサイズに切り揃えてガッシリした框枠構造に組み立てることができるドア構成材に関するものである。
【０００２】
【従来の技術】
周知のとおり、建物用の木製ドア（パーチクルボード等の加工木材製も含む）は、例えば、高さ７５　ｃｍ　、幅９０ｃｍのように一応の規格化の下に量産されている。ところが、実際に築造される建物にあっては、ドアを建込むべき開口スペースはドアの規格に必ずしも適合しておらず、施主の要望、建築士の設計思想、敷地の状況などによって変化していることが多い。
【０００３】
しかして、現実の建込みスペースに規格ドアのサイズが合わないときは、その建込みスペースに合わせてドアを特注しなければならなかった。もっとも、上記既成の木製ドアのサイズが建込み開口スペースに比して僅かに数　ｍｍ　ほど大きいような場合は、竪框と横框を削り取ることによって使用することができたのであるが、数ｃｍの単位で既成ドアが大きいときにはサイズ合わせの削去加工はできなかった。なぜなら、従来の既成木製ドアは、図１１に示すように、竪框１ａと横框４ａ（図示例では、下框）とがダボ６ａを介してダボ接ぎされるか、ないしはホゾ接ぎ・留め接ぎにより框組みされており、鏡板５ａは竪框１ａの嵌め溝Ｃと横框４ａの嵌め溝４１に嵌込んでいたので、ドアの高さサイズと幅サイズを削去できるのは、僅か数ｍｍ程度が限度であったからである。
【０００４】
【発明が解決しようとする課題】
本発明は、前述のごとく、従来の既成木製ドアでは規格外れの建込み開口スペースに使用することができなかったことに鑑みて為されたものであって、建込み開口スペースの高さ・幅サイズに合わせ簡易かつ高能率にドアを適切なサイズに切り揃えてガッシリした框枠構造に組み立てることが可能なドア構成材を提供することを目的とする。
【０００５】
【課題を解決するために採用した手段】
本発明者が、上記課題を解決するために採用した手段を、添附図面を参照して説明すれば、次のとおりである。
【０００６】
即ち、本発明は、端部に捨て代１１・２１を有する左右一対の竪框１・２と；この竪框１・２の上下部に配設される幅広の横材であって、その小口側と少なくとも上下何れか一方の外側に切捨て可能な捨て代３１・４１を有する一対の横框３・４と；これら框材が框組みされた框枠内に嵌込み可能であると共に、縦辺の一側に捨て代５１を有する鏡板５と；を少なくとも包んで成り、かつ、前記竪框１・２の鏡板該当部位には鏡板５の縦側縁を前後面から挟込み可能なトリム１２・２２を突成する一方、前記横框３・４の捨て代３１に対応する部位よりも内側寄りには、小口側の捨て代３１よりも十分に深いダボ孔３２・４２を穿孔し、さらに少なくとも何れか一方の前記竪框１には、前記横框３・４のダボ孔３２・４２に対応する所要数のダボ６を設けるという手段を採用することによって、
建込み開口スペースの高さと幅サイズに合わせて竪框１・２、横框３・４、および鏡板５の余分寸法を捨て代１１・２１、３１・４１、および５１から削去し、竪框１・２と横框３・４に囲われる框枠の中に前記トリム１２・２２に挟込み状態に前記鏡板５の縦側縁を嵌め込ませ、前記竪框１のダボ６を横框３・４のダボ孔３２・４２にダボ接ぎすることによって、所望サイズのドアを組立可能にしたカットフリーのドア構成材を実現した点に特徴がある。
【０００７】
【発明の実施の形態】
以下、本発明の具体的構成を、添附図面に示す好ましい実施の形態に基いて、更に詳しく説明する。
【０００８】
図１〜図１０において、符号１・２で指示するものは、栂の柾目から成る竪框であり、本実施形態では上下端部に削去可能な捨て代１１・２１を有し、また、後述の鏡板が当接すべき該当部位には同鏡板の側縁を前後面から挟込み可能なトリム１２・２２が切削加工により一体に成形してある。なお、図５において、符号１３・２３にて指示してあるのは竪框１・２の上下端部に凹設された欠込み部であって、其処には後記する横框の端部が当接し受入れ状態に接合される。
【０００９】
次に、図中の符号３・４で指示するものは、上記竪框１・２の上下部に配設される横材（竪框と同様に栂の柾目を採用）であって、その小口側および竪框１に面する端部側に切捨て可能な捨て代３１・４１を有する上下一対の横框である。この横框３・４における前記小口面には、当該小口側の捨て代３１・４１を全て削去したとしても、竪框１・２の設けられる後述のダボを受け入れてダボ接ぎ可能な十分に深いダボ孔３２・４２が穿設してある。また、上横框３の下面と下横框４の上面とに、符号３３・４３を以て指示する凹溝は後記鏡板の上下辺縁が嵌入する嵌め溝である。
【００１０】
次いで、符号５で指示するものは、表面に装飾（図示せず）が施された鏡板であり、一方の縦側縁側には切り取り可能な捨て代５１を有する。
【００１１】
また、符号６で指示するものは、前述の上下横框３・４に穿設したダボ孔３２・４２に対向して竪框１に植設した丸鋼製のダボであり、上下横框の端部内側に各々３本ずつ突出させてある。なお、本実施形態においては、横框３・４における前記ダボ孔３２・４２とは反対側の小口側には３本のダボ６が植設してある一方、このダボ６が対向する竪框２の該当部位にはダボ孔（図示せず）が穿設してあって、互いにダボ接ぎ可能にしてある。
【００１２】
本実施形態のドア構成材は上記の部品を含んで成るが、これらを用いて建物の建込み開口スペースに合致した木製ドアを組み立てる場合には、次のような作業をする。
（１）　まず、横框３・４の上下部のダボ６を、竪框２における上下のダボ孔（図示せず）に差し込んで接着剤を用いてダボ接ぎする。この際、竪框２と横框３・４とは図５からも理解できるように、竪框２の欠込み部２３の中に横框３・４の端部が嵌り込んだ状態に連結される。
（２）　つぎに、図３に示すように、建込み開口スペースの横幅に合せて横框３・４における小口側の余分の長さ寸法を捨て代３１・４１から削去し、また鏡板５の捨て代５１から余分の幅寸法を削去して、竪框２と横框３・４が形成する枠内に余分の捨て代部分を削去した前記鏡板５を挿入する。すると、鏡板５は、竪框２のトリム１２と１２との間に挟み込まれると共に横框３・４の嵌め溝３３・４３に嵌入する。
（３）　ついで、図４に示す方法により、竪框１における上下のダボ６を、横框３におけるダボ孔３２、および横框４におけるダボ孔４２に差し込み接着剤を用いてダボ接ぎする。この際、竪框１の上下のダボ６が上下の横框３・４のダボ孔３２・４２に均等に入るように同時に木槌打ちをして嵌合させるのが好ましい。なお、このダボ接ぎにも接着剤を使用する。
（４）　こうして、竪框１・２と横框３・４との框枠内に鏡板５が嵌め込まれたところで、図６に示すように、建込み開口スペースの高さに合せて竪框１の上端捨て代１１、横框２における上側の捨て代３１、および竪框２の上端捨て代２１から余分な高さ寸法を削去することにより（図６→図７）、当該建込み開口スペースにピッタリ適合する木製ドアが完成する。
【００１３】
本願明細書に具体的な実施形態を挙げて説明するカットフリーのドア構成材は概ね上記のとおりであるが、本発明は前述の実施形態に限定されるものでは決してなく、「特許請求の範囲」内において種々の設計変更が可能であることは云うまでもなく、何れも本発明の技術的範囲に属する。
【００１４】
（１）　前述の実施形態の説明にあっては、上側の横框３における捨て代３１の部分だけを削去したが、下側の横框４にも捨て代４１を設けて削去できるようにすることも可能であって、そうすると、ドアのサイズの調整可能サイズを大きくすることが可能である。
（２）　また、前述の構成に加え、図１０に示すごとく、上下の横框３と４との間に、中棧７を配設し、上側の横框３と中棧７との間および中棧７と下側の横框４との間に各々鏡板５・５を嵌め込ませることも可能である。
（３）　また、前述の実施形態においては、竪框１・２と横框３・４に用いる木材として栂の柾目角材を掲げたけれども、建具に使用可能な木材ならば杉でも、樫でも、チークでも、また、集成材や木材の削片や砕片を結合材で成形したパーチクルボード（ｐａｒｔｉｃｌｅ　ｂｏａｒｄ）でも、さらには木材繊維などを結合剤で固めて成形したＭＤＦなどの所謂「ファイバーボード」のごとき加工木材でも使用可能である。
（４）　鏡板５としては、前述の実施形態では木製化粧板を採用していたけれども、ステンドグラス、ガラリ板、格子枠板など、建具に使用されるプレート材を目的に応じて取捨選択して嵌め込むことも、当然に可能である。
【００１５】
【発明の効果】
以上説明したとおり、本発明を適用して構成したたカットフリーのドア構成材は、要に臨んで、竪框・横框および鏡板に設けた捨て代から建込み開口スペースに比して余分な寸法を削去して所望するドアサイズに調節することができ、規格外れの建込み開口スペースにも簡易かつ迅速に対応することが可能である。
【００１６】
また、本発明のカットフリーのドア構成材によれば、従来のように多種多様のサイズの既成ドアを準備しておかなくても、極めて少ない品種を準備しておくことによって様々な建込み開口スペースに対応することができるので、在庫管理上も頗る有利である。
【００１７】
このように本発明によれば、従来の既成ドアや高価な特注ドアの不利益を悉く解消することがてきるうえにコスト的にも有利であるから、その産業上の利用価値は極めて大と云うべきである。
【図面の簡単な説明】
【図１】図１は、本発明の実施形態たるドア構成材の組立前の状態を表わした正面説明図である。
【図２】図２は、本実施形態の組立過程を表わしたものであって、一方の竪框に上下の横框を取り付けた状態を表わすドア構成材の斜視説明図である。
【図３】図３は、本実施形態におけるドア幅調節の過程を表わす説明図である。
【図４】図４は、残りの竪框を横框、鏡板に取り付ける過程を表わす説明図である。
【図５】図５は、竪框の欠込み部に横框を連結した状態を示す部分拡大平面図である。
【図６】図６は、本実施形態におけるドア高さサイズを調節する過程を表わす説明図である。
【図７】図７は、サイズ調節が完了し本実施形態の組立完成した状態の正面図である。
【図８】図８は、図７のドアの横断面図である。
【図９】図９は、図７のドアの立断面図である。
【図１０】図１０は、本発明の設計変更例を表わした建込み正面図である。
【図１１】図１１は、従来木製ドアの框組構造例を示した分解斜視図である。
【符号の説明】
１・２　　　　　竪框
１１・２１　　　　捨て代
１２・２２　　　　トリム
３・４　　　　　横框
３１・４１　　　　捨て代
３２・４２　　　　ダボ孔
３３・４３　　　　嵌め溝
５　　　　　　　鏡板
５１　　　　　　捨て代
６　　　　　　　ダボ
【図１】
2004132072.tif 000003
【図２】
2004132072.tif 000004
【図３】
2004132072.tif 000005
【図４】
2004132072.tif 000006
【図５】
2004132072.tif 000007
【図６】
2004132072.tif 000008
【図７】
2004132072.tif 000009
【図８】
2004132072.tif 000010
【図９】
2004132072.tif 000011
【図１０】
2004132072.tif 000012
【図１１】
2004132072.tif 000013